Podtech/llm-jp-corpus-v4-ja_patent huggingface dataset:
(57)【要約】【課題】  従来から洗顔用ブラシという名称にて市販されている商品はあるが、それぞれに問題点が多く肌触り、泡立ち、臭い、衛生面、耐久性に課題を要する。【解決手段】  植毛部をＰＢＴを使用することにより獣毛独特の臭いもなく耐久性にも優れる。ＰＢＴにテーパーをつけることにより肌触りもよくなる。また、ＰＢＴにウェーブを付けることにより広がり間ができ、空気が入り込むことによって泡立ちもよくなる。ＰＢＴに抗菌剤を練りこむことによりカビ等、衛生面も改善される。【選択図】図１
2011087889.tif 000002
【特許請求の範囲】
【請求項１】
植毛部分が先端に向い細くなっていくテーパー状にした毛先のあるＰＢＴ（ポリブチレンテレフタレート）に、獣毛に近い微妙なウェーブを人工的に付けて、構成された洗顔ブラシ。
【請求項２】
前記テーパー状になったＰＢＴに抗菌剤を練り込んだことを特徴とする請求項１に記載の洗顔用ブラシ。
【発明の詳細な説明】
【技術分野】
【０００１】  この発明は洗顔用ブラシに関する。
【背景技術】
【０００２】  従来から洗顔料を泡立てて用いる洗顔用ブラシがある。
【先行技術文献】
【特許文献】
【０００３】
【特許文献１】実用新案登録第３１１４６１２号
【発明の概要】
【発明が解決しようとする課題】
【０００４】  洗顔時に獣毛では、刺激感が強すぎ、泡立ちも悪い又獣毛はそもそも臭いがあり水分を含んだ時に特に臭いが強くなる。【０００５】  獣毛は水に弱く、水分を含んだ時間が長いと劣化が早く進み毛抜け、毛切れし長期使用が困難である。獣毛はそもそもアミノ酸とタンパク質で形成されており、カビの発生が早い等衛生面に問題がある。【０００６】  獣毛は洗顔中に毛がからみ合いスムーズに洗顔しにくく毛切れ毛抜けの、原因にもなる。
【課題を解決するための手段】
【０００７】  先端に向かい細くなりテーパー状にした毛先のあるＰＢＴ（ポリブチレンテレフタレート）１００（％）でブラシ部分を構成する。【０００８】  テーパー状になったＰＢＴに獣毛に近い微妙なウェーブを人工的に付けることにより広がりのある洗顔ブラシにする。【０００９】  テーパー状になったＰＢＴに抗菌剤を練り込み衛生的な洗顔ブラシにする。
【発明の効果】
【００１０】  ＰＢＴがテーパー状になり毛先を付けることにより獣毛より肌触りがよくなりＰＢＴに獣毛に近い微妙なウェーブを人工的につけることにより広がりができ空気が入り込み、泡立ちもよくなる。【００１１】  テーパー状になったＰＢＴに抗菌剤を練りこむことによりカビ等の衛生面にも獣毛に比べ優れる。【００１２】  植毛部をＰＢＴ１００（％）で構成することにより獣毛の独特な臭いもなくなり、耐久性にも優れる。
【図面の簡単な説明】
【００１３】
【図１】この発明の実態形態における洗顔用ブラシを示した側面図である。
【図２】図１の植毛部を扇型にした側面図である。
【図３】図１の洗顔用ブラシを示した平面図である。
【図４】洗顔用ブラシの植毛部の拡大図である。
【図５】植毛部の質量、ハンドル部分の構成をかえた洗顔用ブラシである。
【図６】図５より植毛部分、ハンドル部分をより小さくし鼻周辺専用の洗顔ブラシである。
【発明を実施するための形態】
【実施例】
【００１４】  図１〜図６を用いて発明の実施形態を説明する。【００１５】  図１に、発明の洗顔ブラシを示すが１ａは植毛部であり先端に向い細くなりテーパー状にした毛先のあるＰＢＴ（ポリブチレンテレフタレート）を用いる。２のハンドル部分には水に強いアクリル樹脂を使う。ハンドル部に木材を使用すると水分により塗料が剥がれたり破損したりする。【００１６】  植毛部にはテーパー状になったＰＢＴ１００（％）で構成し、獣毛に近い微妙なウェーブを人工的に付けることにより広がりができ空気が入り込み泡立ちがよくなり、臭いに関しても獣毛に比べてほとんどない。また抗菌剤を練り込むことによりカビ等、衛生面に優れている。獣毛ではカビの発生が早く衛生的に問題がある。【００１７】  獣毛は常に水分を含んだ状態にしておくと劣化が早く進み、毛切れ、毛抜けの問題があるが、テーパー状になったＰＢＴ１００（％）で構成することにより耐久性にも優れる。【００１８】  ＰＢＴには直径０．０７（ｍｍ）、０．１０（ｍｍ）、０．１５（ｍｍ）のものがあり洗顔用には０．０７（ｍｍ）で構成したものが一番肌触りがよく優れている。【００１９】  図２は図１、１ａの側面図から見たフラットな形状に対し１ｂのような扇型のタイプを作ることにより様々な人のニーズに答えることができる。【００２０】  図３、１ｃは平面図から見た洗顔ブラシで丸く円柱形にすることにより手首のスナップが使え円を描きながら洗顔することにより泡立ちもよくなり汚れを早く落とすことができる。【００２１】  図４は図１、植毛部の拡大図であり毛先に向い細くなっていく、テーパー状にした毛先のあるＰＢＴにすることにより肌触りがよくなり獣毛に近い微妙なウェーブを人工的に付けることにより広がりができ空気が入り込み泡立ちもよくなる。【００２２】  図１は直径２６（ｍｍ）に対し長さ４０（ｍｍ）のバランスが一番適している。図５は直径１７．５（ｍｍ）に対して長さ４５（ｍｍ）のバランスが適している。【００２３】  図５は形状の大きさを変えることにより、価格面や様々な人のニーズに答えることがでこる。図５、４ａは、アルミ金具を使用し５ａは、アクリル樹脂を使用しデザイン的な面でも工夫し使いやすい形態にした。【００２４】  図６は図５よりさらに小さくし鼻周り専用のブラシを作り集中的に洗顔する構造である。４ｂはアルミ金具を使用し、５ｂはアクリル樹脂を使用している。【００２５】  図５、図６の６ａ、６ｂは、つり紐を付けることにより乾燥性、利便性をたかめる。紐には、水に強いポリエステル系の紐を使う。
【産業上の利用可能性】
【００２６】  一般家庭用として利用できる理容店、エステサロン等、業務用としての利用価値もある。ニキビ対策の洗顔にも利用できる。
【符号の説明】
【００２７】１      洗顔用ブラシ
１ａ    植毛部
１ｂ    植毛部
１ｃ    植毛部
１ｄ    植毛部
２      ハンドル
３      植毛部
４ａ    アルミ金具部品
４ｂ    アルミ金具部品
５ａ    ハンドル
５ｂ    ハンドル
６ａ    つり紐
６ｂ    つり紐
【図１】
2011087889.tif 000003
【図２】
2011087889.tif 000004
【図３】
2011087889.tif 000005
【図４】
2011087889.tif 000006
【図５】
2011087889.tif 000007
【図６】
2011087889.tif 000008
(57)【要約】      （修正有）【課題】フックにかける方法ではまな板が前後左右に揺れて一定の位置に安定しない。本体に金具を取り付ける方法では、金具まわりの接続部分に汚れや水分がたまりやすく、不衛生になることがある。まな板スタンドに立てる方法では、まな板の調理面のまな板スタンドと接触している部分が乾燥しにくいことがあり、置き場所をとる。そこで、まな板を、置き場所を取らずに安定した状態で収納でき、裏表の調理面がどことも接触することなく衛生的に乾燥することができるまな板を提供する。【解決手段】まな板本体１にハンガー状の切込みを設けることによって、設置した吊り下げ棒にかける。この形状により、本まな板は、置き場所を取らずにゆれることなく安定した状態で収納でき、裏表の調理面がどことも接触することなく衛生的に乾燥することができる。【選択図】図１
2011087885.tif 000002
【特許請求の範囲】
【請求項１】
ハンガー状の切り込みを設けたことを特徴とするまな板。
【発明の詳細な説明】
【技術分野】
【０００１】  この発明は、乾燥、収納しやすいまな板の形状に関する。
【背景技術】
【０００２】  まな板を乾燥、収納するための従来のまな板の形状には、貫通した穴を設けてフックにかけるものがある。まな板本体に金具を取り付けてフックにかけるものもある（例えば、特許文献１参照）。また、まな板スタンドに立てるものもある（例えば、特許文献２参照）。
【先行技術文献】
【特許文献】
【０００３】
【特許文献１】特開２００５−６６２８７号公報
【０００４】
【特許文献２】特開２００６−３４４８６号公報
【発明の概要】
【発明が解決しようとする課題】
【０００５】  以上に述べた従来の技術によれば、貫通した穴を設けてフックにかける方法も、本体に金具を取り付けてフックにかける方法もまな板が前後左右に揺れて一定の位置に安定しない。本体に金具を取り付けると、金具まわりの接続部分に汚れがたまりやすく、金具の色が変色したり、水分が乾きにくかったりし不衛生になることがある。まな板スタンドに立てると、まな板の調理面のまな板スタンドと接触している部分が乾燥しにくいことがあり、置き場所を取る。【０００６】  そこで、この発明は、置き場所をとらずに安定した状態で収納でき、裏表の調理面がどこにも接触することなく衛生的に乾燥させることができるまな板を提供することを課題とする。
【課題を解決するための手段】
【０００７】  以上の課題を解決するために、まな板本体にハンガー状の切り込みを設けたことを特徴とするまな板である。
【発明の効果】
【０００８】  上記発明による効果は次の通りである。すなわち、このまな板は、乾燥に適した風通しのよい場所に設置した吊り下げ棒の一定の位置に安定してかけることができる。また、まな板の裏表の調理面がどことも接触することがなく、衛生的に乾燥させることができ、置き場所をとらない。
【図面の簡単な説明】
【０００９】
【図１】この発明の一実施形態を吊り下げ棒にかけた状態で示す斜視図である。
【図２】実施例を示す正面図である。
【００１０】  この発明の一実施形態を、図１に示す。
まな板本体１は食材を切るための基準を充足した材質で作られていて、この本体１に、ハンガー状の切込みが設けられている。
【図１】
2011087885.tif 000003
【図２】
2011087885.tif 000004
(57)【要約】【課題】従来の積木型組みブロックは玩具として、主に幼児や児童を対象としたものが多い。本発明は、児童から成人、高齢者までを対象とする積木型組みブロックで、正三角錐（正四面体）と正四角錘の立体二種類のみを適数個用いて、任意の大きさの正三角錐（正四面体）や正四角錘を組合せ積み上げて造形する他、多様な造形を可能にする積木型組みブロックの提供を目的とする。【解決手段】同一の辺長ｌを持つ正三角錐（正四面体）と正四角錘の立体を構成する面の形状は、正四角錐の底面を除いて他の全ての面は正三角形となり、その立体を組み合わせると正三角形の面と面は整合し連続性が生まれ多様な組合せ造形が可能となる。この立体適数個を組合せることにより、その辺長ｌの整数倍の正三角錐（正四面体）や正四角錐を任意に造形できる他、その類似形や連続形などを自由に造形でき、その創造する過程が楽しめるとともに、独自の造形物を完成させる達成感による喜びを得ることができる。【選択図】図１
2011087883.tif 000002
【特許請求の範囲】
【請求項１】
同一の辺長ｌを持つ正三角錐（正四面体）と正四角錐の２種類の立体は正四角錐の底面を除く他の全ての面は正三角形をなし、そのため各立体を構成する面と面は相互に整合し連続性が生まれ、多様な組合せ造形が可能となる特徴を持ち、適数個を組合せることにより、その辺長の整数倍の正三角錐（正四面体）や正四角錐を任意の大きさに組合せ、積み上げて造形できる他、その類似型、連続型などの多様な造形が可能な積木型組みブロック。
【請求項２】
立体を組合せ、積み上げる際に各立体相互の接する面と面の間に垂直応力が働き、立体の面が平滑だと面相互にずれが生じ不安定状態になる。そのため夫々の立体の仕上げ面は適度の摩擦抵抗力、又は粘着力を持たせることにより、その接触面間のずれ押さえ、安定状態が保たれることを特徴とした請求項１の積木型組みブロック。
【発明の詳細な説明】
【技術分野】
【０００１】  本発明は、全ての辺長ｌが同一の２種類の立体、正三角錐（正四面体）と正四角錘のみを適数個組合せ、多様な形体をつくることを可能にした積木型組みブロック。
【背景技術】
【０００２】  従来、一般的な積木と呼ばれる積木型組みブロックは、多種類の形状の立体複数個を組合せ積み上げて無限定の形体を造形するもの（例えば、特許文献１参照。）と、特定形状の複数種類の立体適数個を組合せ積み上げて特定の形体を造形する積木型組みブロックがある（特許文献２参照。）。
【先行技術文献】
【特許文献】
【０００３】
【特許文献１】特開平９−１５５０７２号  公報
【特許文献２】公開実用新案公報（Ｕ）平４−４２８９８号
【発明の概要】
【発明が解決しようとする課題】
【０００４】  多種類の形状の立体複数個を用いて積上げ、組合せるブロックは、その組合せにより多様な造形が可能であるが、その主たる目的は幼児の自由な想像力を発揮させることにあり、他方、特殊形状の複数種類の立体を用いる積木型組みブロックは、特定の形状に組み上げることによって得られる達成感を楽しむことにある。【０００５】  本発明は、全ての辺長ｌが同一の正三角錐（正四面体）と正四角錘の単純な二種類の立体のみを適数個用いて、正三角錐やピラミッド型四角錘を望む大きさに組合せ積み上げられる他、その類似形や連続形など多様な造形を可能とする、児童から高齢者までが広く楽しめる組みブロックの提供を目的とする。
【課題を解決するための手段】
【０００６】  請求項１に記載の発明は同一の辺長ｌを持つ正三角錐（正四面体）と同一の辺長ｌを持つ正四角錘の２種類の立体適数個を組合せ積み上げることにより、その辺長ｌの整数倍の正三角錐（正四面体）や正四角錐を任意に造形できる他、多様な造形を可能にするものである。【０００７】  請求項２に記載の発明は、請求項１に記載の組みブロックにおいて、各立体が組合せ積み上げられた形状で安定した状態を保つため、各立体が相互に接する面全てに積み上げ時に生じる垂直応力に抗する摩擦抵抗力、又は粘着力を持たせたものである。
【発明の効果】
【０００８】  以上に述べたように本発明は２種類の単純な立体、即ち同一の辺長ｌを持つ正三角錐（正四面体）と正四角錐を適数個組み合わせることにより、ｌの整数倍の大きさの正三角錐（正四面体）、正四角錘（ピラミッド型）や、その類似型・連続型など多様な造形物を自在に造形することを提供する。【０００９】  また、その多様な造形物を創作する過程を児童から成人、高齢者までが楽しめるとともに、独自の造形物を創造し完成させる行為は脳の訓練、活性化にも有効となる。【００１０】  また、組み上げられた造形物は飾り物として鑑賞し楽しむこともできる。
【図面の簡単な説明】
【００１１】
【図１】同一の辺長ｌを持つ正三角錐（正四面体）１と正四角錐２からなる組みブロックによる辺長２ｌの正三角錐（正四面体）と正四角錐の組み構成を示す斜視図
【図２】辺長３ｌの正三角錐の組み構成を示す斜視図
【図３】辺長３ｌの正四角錐の組み構成を示す斜視図
【図４】本発明の立体を用いた多様な造形例を示す斜視図
【発明を実施する為の形態】
【００１２】    本発明の実施形態は図１の１に示す同一の辺長ｌを持つ正三角錐（正四面体）と２に示す同一の辺長ｌを持つ正四角錐で、その夫々を構成する各面が適度の摩擦抵抗力を有する立体を適数個揃える。
【符号の説明】
【００１３】１  正三角錐（正四面体）
２  正四角錐
ｌ  一辺の基準長（辺長）
【図１】
2011087883.tif 000003
【図２】
2011087883.tif 000004
【図３】
2011087883.tif 000005
【図４】
2011087883.tif 000006
(57)【要約】【課題】書物を読むとき楽に無理のない姿勢で長時間楽しく読書ができ、特に病人等はベットに書見用具を固定させて横臥、仰向け、または安楽椅子に座って読書ができる、安全で安心な書見用具であり、書物のページをめくるときは書見ボックスより取出してページをめくり書見ボックスに納める、この行為を必要とする。【解決手段】書見ボックス１の左右上部に透明なアクリル板５の差込み溝を施すことにより、書物を空中で支え自由な姿勢で読書ができる書見用具である。【選択図】図４
2011087898.tif 000002
【特許請求の範囲】
【請求項１】
書物を手に取ることなく、病人等が横臥、仰向け、または安楽椅子に座って長時間書物が読めることであって、そのためには空中に書物を開いたまま置き、落下しないように書見ボックスに強靭な透明アクリル板を取付けた安全な書見用具。
【請求項２】
２つ折支柱の先端に書見ボックスを取付け、任意の位置に固定された固定金具に２つ折支柱を差込み自由な角度に調整して使用する請求項１記載の書見用具。
【請求項３】
上記の書見ボックスをポリエチレン合成樹脂で作製した請求項１または請求項２記載の書見用具。
【発明の詳細な説明】
【技術分野】
【０００１】  本発明は書物を持つことなく空中に置いて読書ができる用具であり、特に病人が横臥、仰向け、または椅子に長時間座って読書が楽しめる書見用具に関するものである。
【背景技術】
【０００２】  従来から書物を読むときは上または斜め上から見下して読んでいたものを書見用具をベッド等に固定することによって書物を空中に置いて横臥または仰向けでも楽に読書ができるようにしたものである。
【先行技術文献】
【特許文献】
【０００３】
【特許文献１】  特開２００４−０６５８７１
【非特許文献】
【０００４】
【非特許文献１】
【発明の概要】
【発明が解決しょうとする課題】
【０００５】  本発明は病人等が楽な姿勢で長時間読書を楽しめることを目的としたものである。
【０００６】  従来できなかった、書物を空中に置いて横臥または仰向けでの楽な姿勢で読書ができるように問題を解決したものである。
【課題を解決するための手段】
【０００７】  このような目的を達成するため、本発明は２点折支柱を固定金具でベッド等に固定させ書見ボックスを取付ける、書見ボックスの左右上部に幅２ミリ、深さ４ミリの溝に透明なアクリル板をスライドさせて差込み、強靭なアクリル板で書物を支え空中に書物を置いたまま横臥または仰向けのまま読書ができる書見用具である。
【発明の効果】
【０００８】  上述したように、本発明は両手を使わずに楽に読書ができることにより病人等の読書に対する楽しみを提供できる書見用具である。
【図面の簡単な説明】
【０００９】
【図１】  本発明の実施形態を示す書見ボックスの斜視図。
【図２】  同書見ボックスを取付ける２点折支柱の側面図。
【図３】  同書見ボックスを２点折支柱に取付け、固定金具に差込んだ斜視図。
【図４】  本発明の実施を示す書見用具の正面図。
【発明を実施するための形態】
【００１０】  以下本発明の実施の形態を図１〜図４に基づいて説明する。
【００１１】  図１の１の書見ボックスの規格は単行本を見開きにして自由に出し入れができる大きさを基準としている。
【００１２】  図１の１の書見ボックスは長方形の枠組み内側中央に３の保護板を差込み取付ける。
【００１３】  図１の２の書見ボックスの左右に幅２ミリ深さ４ミリの溝を施してある。
【００１４】  上記溝に図３の４の透明アクリル板をスライドさせて差込み、この透明アクリル板で書物を受けとめる。
【００１５】  図２の５の２つ折支柱の先端部７に図１の１の書見ボックスを６のボルトで取付ける。
【００１６】  上記に取付けられた書見ボックスは前後に３６０度自在である。
【００１７】  任意の位置に図３の１０の固定金具を取付ける、この固定金具に５の２つ折支柱を差込み見やすい角度に調整する。
【００１８】  図２の５の２つ折支柱は６、７、８、９、から構成される。
【００１９】  図２の７は左右１８０度自在に回転する。
【００２０】  図２の８は前後に９０度自在に屈折する。
【００２１】  図２の９は前後に６０度自在に屈折する。
【００２２】  図２の５の２つ折支柱は図３の１０の固定金具に差込む、３６０度回転する。
【００２３】  以上のような本実施形態により書見用具としての読書効果が得られるのである。
【符号の説明】
【００２４】  １  書見ボックス
２  溝
３  保護板
４  透明アクリル板
５  ２つ折支柱
６  ボルト
７  自在調整取付部
８  角度屈折調整ネジ
９  角度屈折調整ネジ
１０  固定金具
１１  ２つ折支柱差込み口
【図１】
2011087898.tif 000003
【図２】
2011087898.tif 000004
【図３】
2011087898.tif 000005
【図４】
2011087898.tif 000006
(57)【要約】【課題】  本発明は、スリッパの表面の足の裏一面に当たる部分に小さな粒子の入った袋を設け、日常、スリッパを履くときに普通に履くだけで、足の裏を刺激し、砂浜を裸足で歩く爽快感を与え、全身に充分な運動量を得ることができる健康スリッパを提供する。【解決手段】  スリッパ（１）の表面の足の裏一面に当たる部分に小さな粒子（３）の入った袋（２）を設け、袋（２）に粒子（３）を入れ、このスリッパ（１）を履いて歩くことにより、足の裏に砂浜の砂の上を裸足で歩く刺激を与え、爽快感とツボ刺激で健康のために全身に運動を与えることを特徴とする健康スリッパ。【選択図】図１
2011087892.tif 000002
【特許請求の範囲】
【請求項１】
スリッパ（１）の表面の足の裏一面に当たる部分に小さな粒子（３）の入った袋（２）を設け、袋（２）に粒子（３）を入れ、このスリッパ（１）を履いて歩くことにより、足の裏に砂浜の砂の上を裸足で歩く刺激を与え、爽快感とツボ刺激で健康のために全身に運動を与えることを特徴とする健康スリッパ。
【発明の詳細な説明】
【技術分野】
【０００１】  本発明は、スリッパの表面の足の裏一面に当たる部分に小さな粒子の入った袋を設け、日常、スリッパを履くときに普通に履くだけで、足の裏を刺激し、砂浜を裸足で歩く爽快感を与え、全身に充分な運動量を得ることができる健康スリッパに関するものである。
【背景技術】
【０００２】  従来、健康スリッパとして、表面に凹凸部のついたスリッパがあるが、これは足の裏を刺激し、ツボ押しの役目だけである。
【発明の開示】
【発明が解決しようとする課題】
【０００３】  そのために、次のような問題点があった。
従来の健康スリッパは、足の裏のツボ押しのみの効果を目指したものであった。
このスリッパは、表面、足の裏に当たる部分に粒子の入った袋を取り付けることにより、砂浜を裸足で歩く感触で足元がさまざまな角度に傾き、体の重心を保つために、腰、足全体の筋肉に力が加わり筋肉を鍛えることができ、健康効率を一層向上させたものである。
本発明は、これらの問題点を解決されるためになされたものである。
【課題を解決するための手段】
【０００４】  スリッパ（１）の表面の足の裏一面に当たる部分に小さな粒子（３）の入った袋（２）を設け、袋（２）に粒子（３）を入れ、このスリッパ（１）を履いて歩くことにより、足の裏に砂浜の砂の上を裸足で歩く刺激を与え、爽快感とツボ刺激で健康のために全身に運動を与えることを特徴とする。
以上のように構成された健康スリッパである。
【発明の効果】
【０００５】  本発明は、スリッパの表面に小さな粒子の入った袋を設け、歩くことにより、砂浜を裸足で歩くのと同じ感触で足元が不安定になり、重心を保つために常に腰、足に力が加わり、筋肉の鍛錬と、悩、神経を刺激する健康スリッパである。
本発明は以上の構成からなっている。
【図面の簡単な説明】
【０００６】
【図１】  本発明の斜視図である。
【図２】  本発明の分解斜視図である。
【発明を実施するための形態】
【０００７】  以下、本発明の形態について説明する。
スリッパ（１）の表面の足の裏一面に当たる部分に小さな粒子（３）の入った袋（２）を設け、袋（２）に粒子（３）を入れ、このスリッパ（１）を履いて歩くことにより、足の裏に砂浜の砂の上を裸足で歩く刺激を与え、爽快感とツボ刺激で健康のために全身に運動を与えることを特徴とする。
本発明は以上のような構成である。
本発明を使用するときは、内部の様子が歩くことにより、重心の移動するごとに、中の粒子も足の圧力により移動する。
すると体が不安定になるので安定を保つために、神経が働き、そのため、悩を刺激することができる。
また、体全体が安定を保つために全筋肉に力が入り、有効な全身運動になる。
これは砂の上を裸足で歩いたと同じ、体に大変良い運動が得られる。
日常知らずしらずの内に相当量の運動ができて、脳の刺激により、ボケ防止と共に体を鍛えることができる。
【符号の説明】
【０００８】  １  スリッパ
２  袋
３  粒子
【図１】
2011087892.tif 000003
【図２】
2011087892.tif 000004
(57)【要約】【課題】  歯ブラシを使って歯磨きの時に流れる磨き垂れ止めを形成した歯ブラシを提供する。【解決手段】  磨き垂れ止めは、ブラシ側を平面にして歯磨きの時の雫が滴下しやすい形状にして手元に磨き垂れが流れてくる不快感を軽減し、衛生的で気持ちよく歯磨きができることを特徴とした、磨き垂れ止め付き歯ブラシである。【選択図】図２
2011087894.tif 000002
【特許請求の範囲】
【請求項１】
歯ブラシを使って歯磨きの時に、磨き始めてしばらくすると磨き垂れが柄の握りの部分にまで流れてきて手を濡らすのを防ぎ、気持ちよく歯磨きができることを特徴とする磨き垂れ止め付き歯ブラシ。
【発明の詳細な説明】
【技術分野】
【０００１】  本発明は、歯ブラシを使って歯磨き中に磨き垂れが手元に流れてくるのを少なくするために、ブラシと柄の握りの間に磨き垂れ止めを形成した磨き垂れ止め付き歯ブラシに関するするものである。
【背景技術】
【０００２】  従来，歯ブラシを使っての歯磨き中に磨き垂れが手元まで流れてくることがあった。
【発明の開示】
【発明が解決しようとする課題】
【０００３】  そのために、次のような問題があった。
（イ）歯磨き中に磨き垂れが手元まで流れてきて手が濡れるため不快になり途中で歯磨きをやめることになって、充分な歯磨きをしないことになる。
（ロ）特に小さい子供が歯磨きをする時は手元の濡れがひどく、歯磨き後の洗浄が不十分になりがちで衛生的にも問題がある。
本発明は、これらの問題点を解決するためになされたものである。
【課題を解決するための手段】
【０００４】  ブラシからの磨き垂れが手元に流れないように歯ブラシの柄の部分に磨き垂れ止めを形成することで手を濡らすことなく歯磨きができる。
以上を特徴とした磨き垂れ止め付き歯ブラシである。
【発明の効果】
【０００５】  歯ブラシを使っての歯磨き中に磨き垂れが柄の握りの部分に流れて手を濡らすことがあるが、磨き垂れ止めを形成することで歯ブラシを持つ手を濡らさず、気持ちよく歯磨きをすることができる。
【発明を実施するための最良の形態】
【０００６】  以下、本発明の実施の形態について説明する。
（イ）ブラシ（１）と柄の握り（３）の間に磨き垂れ止め（２）を形成する。
（ロ）磨き垂れ止め（２）はブラシ（１）側を平面にして雫が滴下しやすく、磨き垂れが握り（３）の部分に流れにくい形状にする。
（ハ）磨き垂れ止め（２）の柄の握り（３）側は丸みをつけて、握りやすい形状にする。
本発明は以上のような構成になっている。
【図面の簡単な説明】
【０００７】
【図１】一般的な歯ブラシの斜視図
【図２】本発明の磨き垂れ止めを形成した歯ブラシの斜視図
【符号の説明】
【０００８】（１）ブラシ
（２）磨き垂れ止め
（３）握り
（４）雫
【図１】
2011087894.tif 000003
【図２】
2011087894.tif 000004
(57)【要約】【課題】靴を長時間に亘って履くと足の発汗により蒸れて、靴内は高湿度の環境になり、雑菌や水虫菌が繁殖し、悪臭の原因となる。よって、靴内の高湿度を低減さすため、外気を効果的に連通する通気孔を設け、従来の通気靴よりも格段に通気性を向上させ、長時間の履用でも快適性を有した靴の提案を目的とする。【解決手段】靴の先芯２を下方に、甲革３を上方に一部分二重構造に形成し、先芯２と甲革３との間に間隔保持材４を点在的な配置で設け、外気側に連通する空間５を形成し、外気を連通させるための通気孔を設ける。これにより最も高湿度となる靴先端部は長時間履用しても蒸れず、快適性を保持できる。【選択図】図１
2011087893.tif 000002
【特許請求の範囲】
【請求項１】
先芯部と甲革部の一部分に二重構造の開口部を設ける。間に間隔保持材を点在的に装着し、外気と連通させる通気孔とする。
【請求項２】
先芯部を下方、甲革部を上方に一部分二重構造にすることにより、雨天時の歩行時に上空からの水滴が靴内に浸入しない。
【請求項３】
先芯部に甲革部との一部を二重構造に設けることにより、靴内の最も湿気の高くなる靴先端指部を通気する。
【発明の詳細な説明】
【技術分野】
【０００１】この発明は、履いたときに足が蒸れるのを防ぎ、悪臭の発生を防ぐと同時に、水虫の対策に有効な通気性を有した靴である。【０００２】また、雨天時の歩行時でも通気部より雨水の浸入を防ぐ機能を有した靴である。
【背景技術】
【０００３】靴を長時間に亘って履くと足の発汗により蒸れて靴内は高湿度の環境になり、雑菌や水虫菌が繁殖し、悪臭の原因となる。
よって、靴内の高湿度を低減さすため外気と連通する空間を設けたり通気性を良くした通気性靴は既に各種提案されている。【０００４】然しながら、各既提案は概ね、微小な通気穴を介して外気と連通させる機能であるため内部の湿度上昇を抑え、足の蒸れ・悪臭の発生を防ぐ性能までには残念ながら至っていない。【０００５】
【特許文献１】特開  ２００３−３３９４０３  特開  ２００４−２０８７６０  特開  ２００４−２８３４５４  特開  ２００８−１４９０８４
【発明の開示】
【発明が解決しようとする課題】
【０００６】上述した従来の通気靴は靴底内部に凹部を設け、通気孔を多数開ける必要があり製造費高騰になる。【０００７】靴底の側面等に設けた通気孔は接地面に近く、雨天の歩行時には通気孔より内部に浸水したり、泥が浸入し穴詰まりすることもある。【０００８】通気孔は微小な口径であるため、外気と連通させる機能は弱く、内部の湿度上昇を抑え、足の蒸れ・悪臭の発生を防ぐ性能までには至っていない。【０００９】よって、靴の内部に対する通気性の確保が極めて簡単な構造で実現でき、雨天時歩行に支障をきたさない実用的な通気性靴を提供する。
【課題を解決するための手段】
【００１０】靴の先芯２を下方に、甲革３を上方に一部分二重構造に形成し、先芯２と甲革３との間に間隔保持材４を点在的な配置で設け、外気側に連通する空間５を形成し、外気を連通させるための通気孔とする。
【発明の効果】
【００１１】靴のつま先部に外気を連通させるための通気孔を設けたので，靴の内部全体が常に外気と導通することになり、履用時の発汗による足の蒸れを有効に防止し、蒸れによる悪臭の発生を抑え、快適な履用感が得られると共に内部の湿度を高めないことで、水虫の防止や治療の対策に有効である。【００１２】外気を連通させるための通気孔を設けるだけでよいので、靴の内部に対する通気性の確保が極めて簡単な構造で実現することができ、加工に有効である。手間が掛からない構造となる。【００１３】また、加工に手間が掛からない構造の為、高付加価値の通気性靴であるが、製品単価は抑えられる。
【図面の簡単な説明】
【００１４】
【図１】  この発明に係わる通気性靴の側面図。
【図２】  この発明に係わる通気性靴の先芯部断面図。
【符号の説明】
【００１５】１  通気性靴
２  先芯
３  甲革
４  間隔保持材
５  空間（通気孔）
【図１】
2011087893.tif 000003
【図２】
2011087893.tif 000004
(57)【要約】【課題】通常のテレビの鑑賞方法では、テレビ周辺の立体空間のさまざまなものが視界に入り、テレビ画面だけを集中して鑑賞できず、又、平面的に見がちとなっていた。【解決手段】テレビ画面の周辺の立体空間を視界から排除し、テレビ画面の映像だけを集中して見られるようにしたものであり、又、縦横から差し込む光を遮断することでテレビの画像が鮮明に、かつ、平面的に見ていた画像がより立体的に見えるようにしたものである。【選択図】図１
2011087267.tif 000002
【特許請求の範囲】
【請求項１】
観賞するテレビ画面の縦横が視界にぴったり収まる筒を両眼用に設け、両眼から見えるテレビ画面が重なるように筒の幅を調節可能とし、テレビと鑑賞位置との距離によりテレビ画面だけを視界に入れて鑑賞できるよう筒の長さを調節可能としたテレビ等鑑賞具。
【請求項２】
筒が両眼に接触する部分について感触を和らげる部材を設けた請求項１記載のテレビ等鑑賞具。
【請求項３】
鑑賞具本体に長さ調節可能なゴムひも等を取り付け頭部に取り付けられるようにし、もしくは両耳に掛けられるようにした請求項１記載のテレビ等鑑賞具。
【発明の詳細な説明】
【技術分野】
【０００１】  本発明は、テレビ周辺の立体空間を視界から遮断し、テレビ画面だけを鑑賞する道具に関する。
【背景技術】
【０００２】  本来、テレビは立体空間の中に設置して鑑賞を行っている。従って、テレビ画面と同時に立体空間のさまざまなものが同時に視界に入るため、テレビを見ていても周辺のものに目をうばわれるなど、テレビ画面だけに集中して鑑賞していられない状態となる。又、テレビ画像は立体空間の中にあるため、平面的にみえる傾向があり、立体感が損なわれる傾向がある。
【先行技術文献】
【特許文献】
【特許文献】  なし
【非特許文献】
【非特許文献】  なし
【発明の概要】
【発明が解決しようとする課題】
【０００３】  以上に述べたテレビの鑑賞方法では、テレビ周辺の立体空間のさまざまなものが視界に入り、テレビ画面だけを集中して鑑賞できず、又、平面的に見がちとなっていた。【０００４】  本発明は、従来の問題を解決しようとするものであり、テレビ画面の周辺の立体空間を視界から排除し、テレビ画面の映像だけを集中して見られるようにしたものであり、又、縦横から差し込む光を遮断することでテレビの画像が鮮明に、かつ、平面的に見ていた画像がより立体的に見えるようにしたものである。
【問題を解決するための手段】
【０００５】  そして、本発明は上記目的を達成するために、テレビ画面だけが両眼それぞれの視界に入るようにした筒状のものである。
【０００６】  又、第２の解決手段は、双眼それぞれの筒の枠の縦横サイズをテレビ画面の縦横サイズの比率に合わせたもので、両眼から筒を通して見える画面が枠内に収まるようにしたものである。
【０００７】  又、テレビ画面が両眼それぞれの筒から１つの画像として見えるように両筒の間隔が調節可能となるようにしたものである。
【０００８】  又、両眼の間隔は個人差があるため、顔面側の筒の間隔が調節可能となるようにしたものである。
【０００９】  又、テレビと鑑賞する位置によりテレビ画面がぴったり収まるように、筒の長さを調節できるようにしたものである。
【００１０】  筒が目に接触する部分について、感触を和らげるようにしたものである。
【００１１】  両筒を常に手に持つ必要がなく、又、顔面に取り付け易いように軽量の部材を使用したもので、長さの調節を可能としたゴムひも等で頭部に固定もしくは両耳に取り付けられるようにしたものである。
【発明の効果】
【００１２】  上述したように本発明のテレビ観賞具は、テレビ画面の周辺の立体空間にあるものを視界から排除し、画像を集中して鑑賞することができるとともに、縦横から差し込む光を遮断することでテレビの画像が鮮明に見え、かつ平面的に見ていた画像が立体的に見えるようにするものである。
【図面の簡単な説明】
【００１３】
【図１】本発明の実施形態を示す鑑賞具の平面図
【図２】同鑑賞具の右斜め後方から見た全体図
【発明を実施するための最良の形態】、
【実施例】
【００１４】  以下、本発明の実施の形態を図１および図２に基づいて説明する。【００１５】  図においては、１は左目用、２は右目用の直方体の筒で、両眼を通して前方のテレビ画面を直視可能な空洞の筒である。また、３は両眼から見えるテレビ画面が重なるように、左右の筒の幅を調節可能とする間隔調節具である。また、４は両眼側の筒の幅を調節可能とする間隔調節具である。また、５はテレビ画面だけが視界に入るようにした筒の長さ調節具である。また、６は顔面に接触する部分の感触を和らげるクッションである。また、７は頭部に取り付け可能なゴムひも等である。また、８はゴムひも等の長さ調節可能な調節具である。【００１５】以下、上記構成の動作を説明する。１、２を両眼に合わせながら７のゴムひも等を頭部に取り付け、長さを調節する。つぎに左眼用１（または右眼用２）の筒からテレビ画面が枠にちょうど収まるように５の長さを調節する。つぎに左右の眼からテレビ画面が重なるように３の幅を調節する。また、同時に４の幅も調節する。以上により、テレビ周辺のものが視界に入らないような状態でテレビを観賞する。【００１６】このことにより、テレビ番組を集中して見ることができ、同時に映像がより立体的かつ臨場感あふれる画像となって鑑賞することができる。また、テレビが設置してある場所から鑑賞しているという感覚から、映像の現場にいるという錯覚したリアル感が得られる。
【符号の説明】
【００１７】  １  左眼用の筒
２  右眼用の筒
３  筒の間隔調節具（画面側）
４  筒の間隔調節具（顔面側）
５  筒の長さ調節具
６  クッション
７  頭部取り付けゴム紐
８  紐の長さ調節具
【図１】
2011087267.tif 000003
【図２】
2011087267.tif 000004
(57)【要約】【課題】    例として、位置センサをＡＴＣ（工具自動交換装置）機能が搭載された工作機械にて使用する場合、位置センサはコードレスで信号伝達しなければならない。従来、その信号伝達方式として採用されている電磁誘導方式には電磁コイルの取り付け位置やスペースに難があり、電波方式には混信、赤外線方式には外部悪環境によるトラブルなどがあった。【解決手段】工作機械において、連結された構造物を浮遊媒体として微弱な交流信号を印加し、位置センサに内蔵した発信回路と工作機械に設けた受信回路を磁気結合させることで、位置センサと受信器の信号伝達をコードレスで可能とする。【選択図】図２
2011096212.tif 000002
【特許請求の範囲】
【請求項１】
一点の位置を一次元ないし三次元的に検知する位置センサの発信部と受信部との信号伝達において、コードを使用せず、かつ電磁誘導方式、電波方式、赤外線方式を用いず、機械の連結された構造物を浮遊導体と解し、その浮遊導体を媒体として交流信号検出伝達を行うことを特徴とする位置センサ。
【請求項２】
ＡＴＣ（自動工具交換方式）機能を搭載した工作機械にて使用される三次元タッチプローブに代表される請求項１記載の位置センサ。
【発明の詳細な説明】
【技術分野】
【０００１】  本発明は、例えばマシニングセンタに搭載されたＡＴＣ（自動工具交換装置）機能により、着脱して使用されるため、コードレスで信号伝達を可能とする位置センサに関する。
【背景技術】
【０００２】  従来、コードレス位置センサの信号伝達方式としては、電磁誘導（インダクトティブ）方式、電波（ラジオ）方式、及び赤外線（オプティカル）方式が知られている。
以下に各方式の概要と問題点を記す。【０００３】  電磁誘導方式は、位置センサに設けた発信コイルと機械の主軸周辺に設けた受信コイルで構成され、わずかな隙間をコードレス（非接触）で信号伝達する方式である。位置センサ側に設けられる発信コイルは、位置センサ側面に取付部を要し、受信側コイルは機械主軸周辺の限られたスペースに取り付けなければならず、そのスペースは機械毎に異なるため、互換性に乏しくレトロフィットが難しい。【０００４】  電波方式は、位置センサに組み込んだ送信器と受信器の間を電波で信号伝達する方式である。使用周波数による電波同士の混信、外部ノイズによる電波干渉に問題があり、法的規制もある。また位置センサ内の送信器が要する消費電力が多いため、その電源である電池の寿命によっては保全に手間がかかる。【０００５】  赤外線方式は、位置センサに組み込んだ発光部と受信器の受光部によって、赤外線で信号伝達する方式である。赤外線方式には送受信エリアに限りがあるため、機械内の主軸可動範囲で使用される位置センサにおいては、送受信器が互いに見通しの良い位置にあり、送信エリアが重なるように設置する必要がある。また、送受信器間に障害物がないことが使用条件となる。そのため、位置センサ内蔵の発光部は周囲全周方向に設ける必要があり、受信器は複数台の設置を要する場合もある。また、受発光部の可視面に切粉、ごみ等が付着することにより信号伝達に支障が起る恐れがある。なお、位置センサ内の発光電源は電池であり、その寿命によっては保全に手間がかかる。【０００６】  電磁誘導方式、電波方式、赤外線方式以外のコードレス信号伝達方式として、交流信号を感度良く検出する交流信号検出装置がある。（特許文献１）【０００７】  位置センサの形態については、一例として出願人が同一である特許文献２に示すタッチセンサがある。請求項２の位置センサは、四角状接触子を被測定物に合わせ球状に変えたもので、この形態に限定されるものではない。【０００８】
【特許文献１】特願  ２００７−２１１２０
【特許文献２】特許  第２９６７１０号
【非特許文献１】ＲＥＮＩＳＨＯＷ社総合カタログ  ２００６年１１月発行  従来方式の図示説明あり。
【発明の開示】
【発明が解決しようとする課題】
【０００９】  本発明は、以上に述べた電磁誘導方式、電波方式、及び赤外線方式における各々の問題点を解決しようとするものである。
【課題を解決するための手段】
【００１０】  本発明は、上記目的を達するために信号伝達方式として、在来方式の電磁誘導方式、電波方式、赤外線方式を採用せず、機械の連結された構造物（主として工作機械）を浮遊導体と解し、その浮遊導体を媒体として信号伝達を行うことにしたものである。
【発明の効果】
【００１１】  上述したように本発明の位置センサでは、受信器の設置場所の制約がないこと。位置センサに多数の発光部を設ける必要がないこと。障害物の影響を回避できること。切粉、ごみ等の影響を受けないこと。消費電力を抑えることにより、内蔵する電池の長寿命化が図れるなどの利点がある位置センサを提供できる。また非常に微弱な交流信号を利用した通信を採用することにより、通信範囲の限定を実現できる。交流信号の周波数や磁気結合条件を適正に選択することで、工場環境におけるノイズに強いといった従来の通信方式にないメリットが得られる。【００１２】  上述の効果はＡＴＣ（自動工具交換方式）を搭載した工作機械における三次元タッチプローブにおいて顕著な効果が認められる。
【発明を実施するための最良の形態】
【００１３】  以下本発明の形態を図１および図２に基いて説明する。【００１４】  図１は本発明の全体構成を示すイメージ図である。１は機械装置で例としてマシニングセンタを示す。２は連結された構造物であり、工具や三次元タッチプローブ３を保持、回転する主軸部で、ＡＴＣ装置（図示せず）により着脱する必要からタッチプローブ３の入出力にはコードを使用することができない。タッチプローブ３に装着されたフィンガ（接触子）４で、加工物５に接触して出力信号を発信する。６は受信器で、機械装置１に固定される。７は機械装置の数値制御装置である。【００１５】  図２は位置センサの断面図であり、ここでは請求項２に記した三次元タッチプローブの内部構成を示す。図１に示すように、三次元タッチプローブ３は、マシニングセンタや旋盤等の連結された構造物２の主軸にシャンク８を介して取り付けられ、加工物５の芯出しや寸法計測、寸法確認に使用される。それらの値は、フィンガ４が加工物や工具に接触し、三次元タッチプローブ内蔵のスイッチ接点部９が開閉することで生じる電気信号によって得られる。接点部９を送信回路１０と接続することで、三次元タッチプローブと機械装置に取り付けた受信機２との通信を行う。送信回路の電源は、三次元タッチプローブに内蔵された電池１１より供給される。三次元タッチプローブに内蔵するスイッチは、接点式センサ、無接点式センサ、非接触式センサ等、位置センサの形式に限定されない。
【図面の簡単な説明】
【００１６】
【図１】  全体構成図
【図２】  三次元タッチプローブの構成図
【符号の説明】
【００１７】  １    機械装置
２    連結された構造物（主軸部）
３    三次元タッチプローブ
４    フィンガ
５    加工物
６    受信器
７    数値制御装置
８    テーパーシャンク
９    接点部
１０  送信回路
１１  電池
【図１】
2011096212.tif 000003
【図２】
2011096212.tif 000004
(57)【要約】      （修正有）【課題】デンタクでわり算をした時にあまりも表示させる様にする。【解決手段】デンタクでわり算をした時に、今は小数点であまりが出てしまう。そうではなく、あまりも表示されるようにする。【選択図】図１
2011096215.tif 000002
【特許請求の範囲】
【請求項１】
Ｎｏ，０００３
【請求項２】
Ｎｏ，０００２
【発明の詳細な説明】
【技術分野】
【０００１】
【背景技術】
【０００２】
2011096215.tif 000003
【先行技術文献】
【特許文献】
【０００３】
【特許文献１】
【特許文献２】
【非特許文献】
【０００４】
【非特許文献１】
【非特許文献２】
【発明の概要】
○○あまり○○と計算されるデンタク
【発明が解決しようとする課題】わり算をして割りきれない時答えに小数点が出ない様にする
【課題を解決するための手段】
【発明の効果】計算が分かりやすくなる
【図面の簡単な説明】
【図１】
2011096215.tif 000004
【発明を実施するための形態】
わり算を計算した時に○○あまり○○と小数点で出て来ない様にする。
【実施例】図１と同じ
【産業上の利用可能性】高いと思われる。
【図１】
2011096215.tif 000005
【図２】
2011096215.tif 000006
【手続補正書】
【提出日】平成22年3月29日(2010.3.29)
【手続補正１】
【補正対象書類名】明細書
【補正対象項目名】全文
【補正方法】変更
【補正の内容】
【発明の詳細な説明】
【技術分野】
【０００１】デンタクに関する
【発明の概要】
【発明が解決しようとする課題】
【０００２】デンタクでわり算をした時にあまりも表示される様にする
【課題を解決するための手段】
【０００３】わり算をした時にあまりも表示される様にどうやって作るか
【発明の効果】
【０００４】宿題等を見てあげる時、はやく答えが分かる
【図面の簡単な説明】
【０００５】
【図１】上から見た図
【発明を実施するための形態】
【０００６】デンタクでわり算をした時に今は小数点であまりが出てしまうのでそうではなくあまりも表示される
【産業上の利用可能性】
【０００７】計算が早くなる
【手続補正２】
【補正対象書類名】図面
【補正対象項目名】図２
【補正方法】削除
【補正の内容】
(57)【要約】      （修正有）【課題】電線を配線する時、コンクリートのように堅い壁にはステップルが打てなく、軟らかい壁などにもステップルでは留められない。床に配線では保護材等で厚みが増しつまづく危険がある。この不都合を解決するため、被覆の形状に工夫を加えることにより、床に置いたり、壁に貼り付けたりできる様にした電線を提供する。【解決手段】電線１の被覆を平らにし、側面の一部を平面にして、壁や床３に配線する場合、平面の部分に接着剤をつけ貼り付けることができる形態。また、電線の被覆の平面の部分に接着剤をつけて養生しておくと、配線するときは、養生を剥ぐだけで、任意の場所に貼り付けることができる。【選択図】図１
2011096618.tif 000002
【特許請求の範囲】
【発明の詳細な説明】
【技術分野】
【０００１】    本発明は電線に関するものであり、電線の被覆の形状に工夫を加えることによって、電線を床に置いたり、壁に貼り付けたりできる様にしたものである
【背景技術】
【０００２】  従来から、電線は絶縁のため被覆してあるが、導線が丸で被覆も丸くなっている。
【発明の開示】
【発明が解決しようとする課題】
【０００３】  電線を配線するとき壁であればステップルで留め、床であれば保護材を留めた中に通している。ステップルで留めれば壁に傷をつけ、堅いコンクリート等にはステップル等は打てない、床に保護材を留めて通せば厚みが増して、つまづく危険がある。この不都合を解決することを課題とする。
【課題を解決するための手段】
【０００４】  この課題を解決するための請求項１の発明は、電線の被覆を平らにして、側面の一部に平面を設けたことを特徴とする、貼り付け可能な電線である。壁や床に配線する場合、平面の部分に接着剤をつけ貼り付けることができる。【０００５】  請求項２の発明は、電線の被覆の平面の部分に接着剤をつけて養生しておく。配線するときは、養生を剥ぐだけで、任意の場所に貼り付けることができる。
【発明の効果】本発明により、電線はステップルを打ち込めない堅いコンクリート壁や、ステップルが留まらない軟らかな部分にも接着剤で留め配線できる。撤去するのも容易で、跡も傷が残らない。床に配線した場合も厚みが少ないので、つまずく危険がない。【０００６】接着剤がついた、電線であれば、配線する人は、養生を剥がすだけで配線ができる。
【発明を実施するための最良の形態】
【０００７】  図１は電線を平たく被覆し側面の一部に平面を設けたことを特徴とする、貼り付け可能な電線の断面図である、同図に示すように、電線が平たく一部が平面であるため、床に置いてもつまずかず、壁に貼り付けても目立たない。【０００８】被覆される導線は一本でも三本でもよい【０００９】和室などで、扇風機や、電気スタンドの延長コードとして使用する場合も畳に吸い付き、つまづくこともなく安心である。
【産業上の利用可能性】
【００１０】本発明に係る電線は、工業的に量産する事が可能であるため、産業上の利用可能性を有する
【図面の簡単な説明】
【００１１】
【図１】  導線を平たく被覆し側面の一部を平らにしたツタセン（蔦線）の断面図である
【符号の説明】
【００１２】１  ツタセン（蔦線）
２  導線
３  床等の平面
【図１】
2011096618.tif 000003
【手続補正書】
【提出日】平成22年1月21日(2010.1.21)
【手続補正２】
【補正対象書類名】特許請求の範囲
【補正対象項目名】全文
【補正方法】変更
【補正の内容】
【特許請求の範囲】
【請求項１】
電線の被覆を平らにして、側面の一部に平面を設けたこと。
【請求項２】
沿線の被覆の平面の部分に接着剤をつけ養生しておくこと。